(57)【特許請求の範囲】
【請求項１】
一対の外枠部とこれにわたって横架される複数の横枠部とを備え、かつ、前記横枠部に複数のピンチを各別に吊下げ支持する繋ぎ杆を揺動自在に取付けてある一対の分割枠体を、前記横枠部の長手方向に沿う軸芯周りでの揺動によって展開姿勢と折畳み姿勢とに姿勢変更可能に枢支連結するとともに、前記両分割枠体の横枠部の隣接間には、両分割枠体を折畳み姿勢に変更したき、前記ピンチが分割枠体の面方向に沿った姿勢で入り込み自在な空隙を形成してある物干し器であって、
前記横杆部には、前記繋ぎ杆の揺動範囲を分割枠体に対して直角に垂下する位置から分割枠体の面方向に沿った姿勢で前記空隙内に入り込む位置に規制するスリットを設けるとともに、前記両分割枠体が折畳み姿勢にあるとき、その折畳み方向で対峙する両分割枠体のピンチ同士が当接するように構成してある物干し器。
【請求項２】
前記スリットが、前記横枠部の長手方向での前記繋ぎ杆の揺動を規制した状態で前記外枠部の長手方向に沿って形成されている請求項１記載の物干し器。
【請求項３】
前記横枠部のうち、前記両分割枠体の折畳み時に対峙する横枠部と当接する側辺からピンチの最大厚みの半分以下の領域に前記繋ぎ杆が揺動自在に取付けられている請求項１又は２記載の物干し器。
【発明の詳細な説明】
【０００１】
【発明の属する技術分野】
本発明は、物干し竿などに吊下げ使用可能な物干し器に関する。
【０００２】
【従来の技術】
この種の物干し器は、ふきん、タオル、靴下等の洗濯小物の物干し具としてよく知られたものであり、一般家庭などで多く用いられている、構造的には、複数のピンチ（洗濯はさみ）を吊設してある矩形格子状の物干し枠体に、鎖紐等を介して吊下げフックが設けられているものが一般的である。
近年、この物干し器においては、使用していない状態でコンパクトになるように、物干し枠体部分を２つ折りに折畳みが可能に構成した商品が主流になりつつある。
そして、この種の洗濯物干し用画角ハンガーにおいて、物干し枠体に吊設されているピンチは、物干し枠体に対して自由に振り子状に揺動可能な取付け構成であり、折畳み姿勢では物干し枠体の空隙に納めることができる構成になっている。
【０００３】
【発明が解決しようとする課題】
ところが、従来の洗濯物干し用画角ハンガーにおいて、普通に物干し枠体を折畳んだ状態では、干し物枠体の空隙に入らなかったピンチが、折畳み間に挟み込まれて、きちんとした折畳み姿勢になるのを妨害したり、或は、折畳みによって隣合うピンチ相互が絡んで、折畳みを邪魔したりすることがあるため、そのようなことが生じないように、物干し枠体を慎重に折畳み直したりしなければならない問題があった。
また、これとは反対に、折畳まれた物干し枠体から物干し枠体を展開した吊下げ姿勢にする場合においても、ピンチ同士が絡まっていたりすることがあるため、そのような絡みを手作業で直しながら開かなければならない問題があった。
また、折畳み姿勢で物干し枠体の空隙に納まったピンチは、唯単に納まっているだけで、夫々のピンチの姿勢は異なるものになっている。このことは、この種物干し器の多くは、折畳み姿勢が外部から見えるように、透明な袋に梱包された商品状態で陳列展示されるので、ピンチの納まり具合があまりにも異なっていると見栄えが悪い問題がある。
そのため、製品梱包の際、ピンチが規則性のある納まり姿勢に見えるような手直し作業が必要である等の問題がある。
【０００４】
本発明は、上述の実状に鑑みて為されたものであって、その主たる課題は、折畳みや展開を迅速かつ確実に行えるとともに、折畳み姿勢でのピンチの納まり姿勢が整然として見栄えのよい物干し器を提供する点にある。
【０００５】
【課題を解決するための手段】
【０００７】
本発明の請求項１による物干し器の特徴構成は、一対の外枠部とこれにわたって横架される複数の横枠部とを備え、かつ、前記横枠部に複数のピンチを各別に吊下げ支持する繋ぎ杆を揺動自在に取付けてある一対の分割枠体を、前記横枠部の長手方向に沿う軸芯周りでの揺動によって展開姿勢と折畳み姿勢とに姿勢変更可能に枢支連結するとともに、前記両分割枠体の横枠部の隣接間には、両分割枠体を折畳み姿勢に変更したき、前記ピンチが分割枠体の面方向に沿った姿勢で入り込み自在な空隙を形成してある物干し器であって、
前記横杆部には、前記繋ぎ杆の揺動範囲を分割枠体に対して直角に垂下する位置から分割枠体の面方向に沿った姿勢で前記空隙内に入り込む位置に規制するスリットを設けるとともに、前記両分割枠体が折畳み姿勢にあるとき、その折畳み方向で対峙する両分割枠体のピンチ同士が当接するように構成してある点にある。
【０００８】
上記特徴構成によれば、分割枠体を折畳む動作に伴って、分割枠体の空隙にピンチが揺動して入り込むとともに、そのピンチの揺動方向が定められているので、分割枠体を折畳む途中でピンチが挟まったり、隣り合うピンチが絡まったりすることがなく、折畳みをスムーズに行うことができるので、迅速かつ確実に折畳み操作することができる。
また、ピンチの揺動方向が従来のように、袋詰め作業においてピンチの姿勢を整える手直し作業が不要であるとともに、梱包袋が透明で展示効果用の場合、ピンチが整然と配列された状態が外部から視認することができるので、ディスプレイ効果を高めることができる。
さらに、折畳み姿勢から物干し枠体を吊下げ状態にする場合も、分割枠体を展開するだけで、ピンチを物干し枠体から垂下設する状態に簡単に変更することができる。
従って、従来のこの種の物干し器に比し、取扱い性を著しく向上させることができるとともに、商品の展示性を高めることができる。
【０００９】
本発明の請求項２による物干し器の特徴構成は、前記スリットが、前記横枠部の長手方向での前記繋ぎ杆の揺動を規制した状態で前記外枠部の長手方向に沿って形成されている点にある。
【００１１】
本発明の請求項３による物干し器の特徴構成は、前記横枠部のうち、前記両分割枠体の折畳み時に対峙する横枠部と当接する側辺からピンチの最大厚みの半分以下の領域に前記繋ぎ杆が揺動自在に取付けられている点にある。
【００１５】
【発明の実施の形態】
〔実施形態〕
以下、本発明を適用した物干し器Ａの実施形態を図面に基づいて説明する。
図１〜図９は、洗濯物等の干し物を脱着自在に吊下げ支持するための複数のピンチ（洗濯はさみ）１…を備えた矩形状の物干し枠体Ｂと、鴨居等に掛止可能な吊下げフックＣ、及び、物干し枠体Ｂの四隅内コーナー部分に設けた被吊下げ部５と吊下げフックＣとに亘って設けられる吊下げ連結体Ｄとからなる合成樹脂製の物干し器Ａを示し、物干し枠体Ｂを水平に維持した吊下げ姿勢（図１、図２）と、物干し枠体Ｂを２つ折りに維持した折畳み姿勢（図５、図６）とに状態変更が可能なものである。
【００１６】
前記物干し枠体Ｂは、長辺方向の中央位置で二分割された左右一対の分割枠体２Ａ，２Ｂから構成され、この各分割枠体２Ａ，２Ｂは、平面視ほぼコの字状で、かつ、横断面形状が下向きコの字状の一対の外枠部２ａと、両外枠部２ａにわたって横架される状態で長辺方向にピンチ１の全長Ｌ１より大なる間隔Ｌ２を隔てて配置される横断面形状が下向きコの字状の複数本（当該実施形態では３本）の横枠部２ｂ、横枠部２ｂ同士及び横枠部２ｂと外枠部２ａとを繋ぐ状態で短辺方向の両側近くに長辺方向に沿って配置される横断面形状が下向きコの字状の複数本（当該実施形態では６本）の縦補強枠部２ｃ…とを合成樹脂にて一体形成されている。
【００１７】
そして、前記両分割枠体２Ａ，２Ｂの中央側端部同士を、物干し枠体Ｂの短辺方向に沿う、言い換えれば、前記横枠部２ｂの長手方向に沿う水平な折畳み軸芯Ｘ周りで揺動自在に嵌合連結することにより、両分割枠体２Ａ，２Ｂが面一状態で水平方向に沿って一直線状に展開した吊下げ姿勢と、両分割枠体２Ａ，２Ｂの下面同士が接当又は近接する状態にまで折畳み軸芯Ｘ周りで折り曲げた折畳み姿勢とに切換え操作自在に構成されている。
【００１８】
前記各分割枠体２Ａ，２Ｂの内部空間は、格子状に配設された複数の横枠部２ｂ及び複数の縦補強枠部により、一つ又は複数のピンチ１が物干し枠体Ｂの長辺方向に沿った同じ向き姿勢で入込み可能な複数の空隙Ｇ、換言すれば、図３、図４に示すように、両分割枠体２Ａ，２Ｂを折畳み姿勢に変更したとき、前記ピンチ１が分割枠体２Ａ，２Ｂの両方向に沿う姿勢で入り込み自在な空隙Ｇに区画形成され、特に、折畳み軸芯Ｘが通る中央の空隙Ｇは、物干し枠体Ｂの長辺方向に沿って二個のピンチ１，１が入込み可能な大きさに構成されているとともに、前記各外枠部２ａの両角部の内側面には、前記被吊下げ部を構成する掛止リング５…が一体形成されている。
【００１９】
各分割枠体２Ａ，２Ｂの各横枠部２ｂの複数箇所、及び、各外枠部２ａの短辺側部分である横枠部２ａの複数箇所の各々には、同一方向に揺動自在で、かつ、折畳み姿勢への変更に連れて同一側に揺動しながら分割枠体２Ａ，２Ｂ内の空隙Ｇに入り込む複数個のピンチ１…が取付けられている。具体的には、各ピンチ１が、物干し枠体Ｂの長手方向に対してほぼ直角な吊設状態から物干し枠体Ｂの長手方向に沿う格納状態まで、分割枠体２Ａ，２Ｂの折畳み方向と同じ方向に揺動自在な構成になっている。
【００２０】
ここで、物干し枠体Ｂと各ピンチ１との関係を具体的に説明すると、物干し枠体Ｂの横枠部２ｂには、凹設されているとともに、底面から折畳み軸方向に面する側面に亘って外枠部２ａの長手方向に沿うスリット２０ａが形成された受部２０を設け、このスリット２０ａに対応する分割枠体２Ａ，２Ｂの横枠部２ｂ部分に同様なスリット２０ｂを形成し、前記受部２０に対して、横倒し円柱状の基部１ａ中央から垂下設した繋ぎ杆１ｂを、繋ぎ杆１ｂがスリット２０ａ，２０ｂ方向に揺動自在となるように、基部１ａを受部２０に収容し、スリット２０ａから垂下設する繋ぎ杆１ｂの下端の小フック１ｃに、ピンチ１を構成するＣ字状ばね環１ｄの中央部分をフック掛けすることによって、物干し枠体Ｂにピンチ１が垂下設する状態から折畳み軸Ｘ側に沿うほぼ９０度に亘って揺動可能に吊設される構成になっており、ピンチ１の重心の変遷を受けて、基部１ａ横軸芯Ｙ周りに従動回動することによって、ピンチ１が揺動可能になっている。
前記スリット２０ａは、図２〜図５に示すように、前記横枠部２ｂの長手方向での繋ぎ杆１ｂの揺動を規制した状態で、該繋ぎ杆１ｂの揺動範囲を分割枠体２Ａ，２Ｂに対して直角に垂下する位置から分割枠体２Ａ，２Ｂの面方向に沿った姿勢で前記空隙Ｇ内に入り込む位置に規制する。
また、図５に示すように、横枠部２ｂのうち、前記両分割枠体２Ａ，２Ｂの折畳み時に対峙する相手側の横枠部２ｂと当接する側辺からピンチ１の最大厚みの半分以下の領域に前記繋ぎ杆１ｂの円柱状基部１ａを揺動自在に取付けて、前記分割枠体２Ａ，２Ｂが折畳み姿勢にあるとき、その折畳み方向で対峙する両分割体２Ａ，２Ｂのピンチ１同士が当接するように構成してある。
【００２１】
前記各分割枠体２Ａ，２Ｂの受け部２０に形成されたスリット２０ａ，２０ｂをもって、各分割枠体２Ａ，２Ｂに設けられたピンチ１群の揺動方向を同一方向で、かつ、吊下げフックＣが下方に位置する状態での両分割枠体２Ａ，２Ｂの折畳み姿勢への変更操作に連れて、分割枠体２Ａ，２Ｂ内の空隙Ｇに全てのピンチ１…が入り込む状態に規制する揺動規制手段Ｈが構成されている。
【００２２】
従って、各ピンチ１は、物干し枠体Ｂの長手方向に対してほぼ直角な吊設状態から物干し枠体Ｂの長手方向に沿う横倒し状態まで揺動自在になっている。
【００２３】
また、受部２０の対峙側面には、円柱状基部１ａの受入れは許容するが受部２０から抜け外れを阻止する抜け止め爪２０ｃ、２０ｃが形成されている。繋ぎ杆１ｂの小フック１ｃとピンチ１のＣ字ばね環１ｄとは互いが直交する連結構成を用いており、この実施形態においては、図２に示すように、物干し枠体Ｂの正面側方向が、ピンチ１の側面方向となる吊下げ姿勢に統一されている。
【００２４】
さらに、各分割枠体２Ａ，２Ｂには、折畳み姿勢で対峙する位置にピンチ１が取付けられている。
【００２５】
また、物干し枠体Ｂの対辺をなす短辺枠部分には、前記吊下げフックＣの吊下げ位置よりも低い位置で物干し竿に掛止可能な補助吊下げフック３，３が、物干し枠体Ｂに対して垂直に起立する起立姿勢と、９０度倒伏させた倒伏姿勢とに、水平軸芯Ｐ１周りで揺動切換操作可能に設けられており、例えば、風が強い場合や、洗濯物の上下長さが長い物の場合などにおいて、図７に示すように、左右一対の補助吊下げフック３，３を起立状態にして物干し竿Ｅに吊下げることができる構成になっている。ここで、物干し枠体Ｂを折畳んだ状態においては、補助吊下げフック３，３同士の向きが異なって、互いに接当状態にならないようになっている。また、対峙する起立状態では、フック開口の向きが１８０度異なる向きになるので、物干し竿等に吊下げた場合であっても、角度の大きな揺動に対しても外れない構造になっている。
【００２６】
前記吊下げフックＣは、物干し竿等に掛止可能な主フック部１０と、該主フック部１０とは掛止方向が逆向きとなる鴨居等に掛止可能な副フック部１１と、主フック部１０の開口をコイルばね（図示せず）を介して弾性閉止状態に保持する脱落防止用の閉止体１２と、主フック部１０の下端部に連設されるグリップ部１３とから構成されているとともに、前記グリップ部１３の上部には、吊下げ連結体Ｄに対する左右一対の係止部１５Ａ，１５Ａを備えた縦軸芯Ｐ２周りで相対回転自在な回転リング１５と、閉止体１２を閉じ側への弾性付勢力に抗して開き操作する操作レバー１６とが設けられている。また、グリップ部１３の下端には、Ｕ字状の閉じフック１４が設けられており、例えば、この実施形態と同様な別の物干し器Ａの主フック１０を掛止して、二つ以上の物干し器Ａ，Ａを上下に連接することができるようになっている。
【００２７】
また、前記閉止体１２には、主フック部１０を把持した手指で開閉操作が可能なレバー１２Ａが一体形成されているとともに、前記副フック部１１が主フック部１０に枢着するための枢支ピン１８の軸芯Ｐ３周りでの揺動操作により、横外方に突出する掛止姿勢とそれの先端が主フック部１０の背面に接当又は近接する格納姿勢とに揺動切替え自在に構成されている。
【００２８】
前記吊下げ連結体Ｄは、図１に示すように、物干し枠体Ｂの対角線上に振分けて４組のリンクを配備して構成されているとともに、正面側の左右一対には、物干し枠体Ｂと吊下げフックＣとを連結する長さが固定された長さ固定リンクＤ１，Ｄ１が配備され、背面側の左右一対には、物干し枠体Ｂと吊下げフックＣとを連結する長さが変更可能な長さ可変リンクＤ２，Ｄ２が配備されている。
【００２９】
前記長さ固定リンクＤ１，Ｄ１は、Ｓ字状フック３１を介して連結された２枚のリンク板３０Ａ，３０Ａから構成され、長手方向の上端がＳ字状フック３１を介して吊下げフックＣの係止部１５Ａに連結され、長手方向の下端がＳ字状フック３１を介して物干し枠体Ｂ一側側の内コ−ナに形成されたコの字状の掛止リング５に連結されている。
【００３０】
前記長さ可変リンクＤ２，Ｄ２“は、Ｓ字状フック３１を介して連結された可変リンク体４０と一定長さリンク板３０Ｂとから構成され、長手方向の上端がＳ字状フック３１を介して吊下げフックＣの係止部１５Ａに連結され、長手方向の下端がＳ字状フック３１を介して物干し枠体Ｂ他側側の内コ−ナに形成されたコの字状の掛止リング５に連結されている。
【００３１】
前記可変リンク体４０は、両端を除いて重なり合わせ可能な上下２枚のリンク板４１，４２から構成され、下側のリンク板４２には、長手方向に適宜間隔を開けた２箇所に係止突部４２ａ，４２ｂが形成され、上側のリンク板４１には、係止突部４２ａ，４２ｂに対応する係止孔４１ａ，４１ｂが形成され、下側リンク４２の２箇所の係止突部４２ａ，４２ｂが、上側リンク４１の２箇所の係止孔４１ａ，４１ｂに係入して上下のリンク板同士がほぼ全長に亘って重なり合う収縮状態（図１（イ））と、下側リンク板４１の下端側の係止突部４２ａが、上側リンク板４２の上側の係止孔４１ｂに係入して上下のリンク板４１，４２の端部同士が重なり合う伸長状態（図１（ロ）とに人的操作によって長さ変更が可能になっている。
【００３２】
物干し枠体Ｂの正面側と背面側とには、何れか一方の分割枠体２Ａ側に、ピンを介して基端部５０ａが回動自在に連結するとともに、先端部の係合受け５０ｂが係止ピン５０ｃに仮止め係合されたストッパ板５０が設けられ、他方の分割枠体２Ｂ側に、折畳み軸Ｘ回りで分割枠体２Ａ，２Ｂ同士がほぼ９０度の開脚状態にあるとき、ストッパ板５０の基端部５０ａの回動軌跡上に位置して引掛けピン５０ｄが設けられている。
【００３３】
このような構成にすることによって、物干し枠体Ｂの吊下げ姿勢では、操作レバー１６を操作して主フック１０を開閉して、物干し竿等に吊下げることができる。
【００３４】
また、図３に示すように、吊下げ姿勢の物干し枠体Ｂを上下逆さまにした後、吊下げフックＣを横姿勢に寝かせるとともに、折畳み軸芯Ｘ周りに分割枠体２Ａ，２Ｂを上方回りに折畳むことによって、この折畳みに連動して各ピンチ１が強制的に揺動して、対応する分割枠体２Ａ，２Ｂの空隙Ｇに入込む状態となり、簡単に物干し枠体Ｂを折畳み姿勢にすることができる。
【００３５】
この折畳み姿勢では、分割枠体２Ａ，２Ｂ同士重なり合った状態になるとともに、吊下げフックＣは折畳み中心部分に納まり、吊下げ連結体Ｄは折畳まれた分割枠体２Ａ，２Ｂに沿うような状態になり、全体的にコンパクトになる。
【００３６】
折畳み姿勢の物干し枠体Ｂを吊下げ状態にするには、折畳み軸芯Ｘ周りに分割枠体２Ａ，２Ｂを展開すれば、物干し枠体Ｂを水平に維持した吊下げ姿勢に変更することができる。
【００３７】
また、この実施形態の物干し器Ａは、吊下げフックＣが物干し枠体Ｂの中心位置（重心位置）を通る鉛直線Ｐ上に位置する通常の吊下げ姿勢と、図８に示すように、物干し枠体Ｂがほぼ水平姿勢の状態で、かつ、吊下げフックＣが鴨居等に掛止可能になるように、物干し枠体Ｂの中心位置から吊下げフックＣが側方に偏位する鴨居掛け姿勢とに変更が可能である。
【００３８】
物干し器Ａを鴨居掛け姿勢にするには、吊下げ連結体Ｄの長さ可変リンクＤ２，Ｄ２を伸長状態にすること、壁側に対応する物干し枠体Ｂ部分下面部に縦軸芯Ｐ４周りに収納されている棒状の当たり４を壁側に突出させること、吊下げフックＣを鴨居に掛止することを実行すれば、物干し枠体Ｂと壁面との間に干し物接触抑制用の隙間Ｆを形成するとともに、物干し枠体Ｂが水平状態となる鴨居掛けが可能となる。
【００３９】
この他にも、この実施形態の物干し器Ａは、図９に示すように、折畳み軸Ｘ回りで分割枠体２Ａ，２Ｂ同士がほぼ９０度の開脚状態で、ストッパ板５０の係合受け５０ｂを引掛けピン５０ｄに係合した後、この状態で副フック部１１を鴨居等に掛止することによって、ほぼ水平状態に壁面から前方に張出す分割枠体２Ａから垂下設するピンチ１を物干し使用する所謂半丁掛けでの使用が可能である。
【００４０】
〔別実施形態〕
図１１〜図１３に示すように、この別実施形態の物干し器Ａは、複数のピンチ１・・・を格子枠体２１に沿って吊設してある物干し枠体ＢＢと、この物干し枠体ＢＢの一対の基端部に、垂直なタイル面やガラス面等の被取付面Ｍに吸着可能な吸盤６０Ａを設けた吸盤部６０を有するとともに、物干し枠体ＢＢをほぼ９０度の遥動角度で回動支持可能にする軸受け部６２を一体に設けた取付基台ＢＣとから構成され、取付基台ＢＣを被取付面Ｍに取り付けた状態で、取付基台ＢＣに対して物干し枠体ＢＢを水平状態の展開姿勢と起立状態の折畳み姿勢とに姿勢変更操作自在に枢支連結されているとともに、物干し枠体ＢＢを展開姿勢から折畳み姿勢への変更に連動して、物干し枠体ＢＢから垂下設した吊設状態の複数個のピンチ１・・・が、物干し枠体ＢＢ内の空隙Ｇに入り込んだ格納状態にすることができるようになっている。
【００４１】
ここで、物干し枠体ＢＢと各ピンチ１との関係を具体的に説明すると、物干し枠体ＢＢには、等間隔に取付部２２が設けられ、この取付部２２に対して、横倒し円柱状の基部１ａを軸周り方向に回動可能に嵌合し、基部１ａから垂下設した繋ぎ杆１ｂを介して先端の小フック１ｃに、ピンチ１を構成するＣ字状ばね環１ｄの中央部分をフック掛けすることによって、取付基台ＢＣに対して物干し枠体ＢＢを水平状態の展開姿勢から起立状態の折畳み姿勢に姿勢変更することに連動して、各ピンチ１・・・が垂下設した状態のまま変更軌跡に沿って移動することによって、各ピンチ１・・・が物干し枠体ＢＢ内の空隙Ｇに格納される状態となり、反対に、取付基台ＢＣに対して物干し枠体ＢＢを起立状態の展開姿勢から水平状態の折畳み姿勢に姿勢変更することに連動して、各ピンチ１・・・が垂下設した状態のまま変更軌跡に沿って移動することによって、各ピンチ１・・・が物干し枠体ＢＢから垂下設した吊り下げ状態となる。ピンチ１の繋ぎ杆１ｂの移動軌跡と干渉する格子枠体２１部分には切欠２１ａが形成されて、ピンチ１の移動に支障が出ないようになっている。
【００４２】
前記吸盤部６０は、図示しないが、例えば、取付基台ＢＣに支持された吸盤６０Ａを背後から雄ネジ・雌ネジ螺合を利用して接続された円盤状の吸着力調節盤を調節することによって、被取付面Ｍに取付られた吸盤６０Ａの吸着力が調整可能なものになっている。
【００４３】
このような構成によれば、物干し器Ａを展開姿勢から折畳み姿勢への変更する動作に伴って、物干し枠体ＢＢの空隙Ｇに各ピンチ１・・・を入り込ませた格納状態にすることによって、枠体空間を各ピンチ１・・・の収納部として有効に利用することができ、見た目にも整然とすることができるとともに、反対に、物干し器Ａを折畳み姿勢から展開姿勢への変更する動作に伴って、各ピンチ１・・・を吊設した状態にすることによって、物干し枠体ＢＢを迅速に使用することができる状態にすることができる。具体的な利用としては、洗面所や浴室のタイル面やガラス面等の被取付面Ｍに吸盤部６０を介して物干し器Ａを取り付けておくことによって、靴下、下着、タオル等の小物を室内で簡単に干すことができ、普段の生活に簡易な物干しとして使用することができるとともに、普段は折畳み姿勢のまま被取付面に取り付けておき、雨天時などにおいて、折畳み姿勢から展開姿勢に姿勢変更して、室内用の物干しとして使用することができる。
【００４４】
〔その他の実施形態〕
１）  上記実施形態では、吊下げ状態の物干し枠体Ｂを上下逆さまにした状態で、各分割枠体２Ａ，２Ｂを折畳み軸Ｘを中心に上向き回りで折畳むことに連動して、ピンチ１を対応する分割枠体２Ａ，２Ｂの空隙Ｇに入込ませるものについて説明したが、本発明はこれに限らず、物干し枠体Ｂを吊下げ状態のまま、枢支連結部を中心に分割枠体２Ａ，２Ｂを折畳み軸Ｘを中心に下向き回りに折畳むことによって、ピンチ１を対応する分割枠体２Ａ，２Ｂの空隙Ｇに入込ませる構成であってもよい。
具体的には、図１０に示すように、ピンチ１を分割枠体２Ａ，２Ｂの折畳み方向とは逆の方向に揺動自在な構成にすることによって、吊下げ姿勢にした物干し枠体Ｂの上下関係はそのままで、枢支連結部を中心に分割枠体２Ａ，２Ｂを折畳み軸Ｘを中心に下方回りに折畳むことによって、この折畳みに連動して、ピンチ１を対応する分割枠体２Ａ，２Ｂの空隙Ｇに入込ませるようにしてもよい。
【００４５】
２）  上記実施形態では、物干し枠体Ｂの正面側から見た場合、各ピンチ１の側面が正面方向に向く吊下げ姿勢になるものについて説明したが、物干し枠体Ｂの正面側から見た場合、各ピンチ１の正面が正面方向に向く吊下げ姿勢になるものであってもよい。
【００４６】
３）  上記実施形態では、４組ある吊下げ連結体Ｄの２組Ｄ２，Ｄ２を伸長可能にする構成とするとともに、壁面への当たり４、４を設けて、副フック部１１を利用して、物干し枠体Ｂを水平状態で鴨居等に掛止可能にして、主フック部１０とは異なる吊下げを実施することができる構成の物干し器Ａに本発明を適用したものを説明したが、これとは異なり、例えば、主フック部１０のみを具備する物干し器Ａに本発明を適用するものであってもよい。
【図面の簡単な説明】
【図１】本発明を適用した実施形態の物干し器の簡略斜視図
（イ）は物干し器の全体を示す簡略斜視図
（ロ）は可変リンク体の分解状態と伸長状態を示す簡略斜視図
【図２】吊下げ姿勢の物干し器を示す正断面図
【図３】吊下げ姿勢の物干し器を上下逆さまにして示す正断面図
【図４】ピンチが分割枠体の空隙に入った状態を示す平面図
【図５】折畳み姿勢の物干し器を示す正断面図
【図６】折畳み姿勢の物干し器を示す側面図
【図７】補助吊下げフックを用いた吊下げ姿勢を示す正面図
【図８】鴨居掛け姿勢を示す側面図
【図９】半丁掛け姿勢を示す側面図
【図１０】本発明を適用した別の実施形態の物干し器を示す正断面図
【図１１】本発明を適用した別の実施形態の物干し器を被取付面に取り付けた状態を示す側面図
【図１２】取付基台に対して物干し枠体を折畳み姿勢にした状態を示す正面図
【図１３】取付基台に対して物干し枠体を水平姿勢にした状態を示す正面図
【符号の説明】
Ａ          物干し器
Ｂ          物干し枠体
ＢＢ        物干し枠体
ＢＣ        取付基台（基台）
Ｇ          空隙
１          ピンチ
２Ａ        分割枠体
２Ｂ        分割枠体
【図１】
0004043302.tif 000002
【図２】
0004043302.tif 000003
【図３】
0004043302.tif 000004
【図４】
0004043302.tif 000005
【図５】
0004043302.tif 000006
【図６】
0004043302.tif 000007
【図７】
0004043302.tif 000008
【図８】
0004043302.tif 000009
【図９】
0004043302.tif 000010
【図１０】
0004043302.tif 000011
【図１１】
0004043302.tif 000012
【図１２】
0004043302.tif 000013
【図１３】
0004043302.tif 000014